(57)【特許請求の範囲】
【請求項１】
浴用空間に向けて湯水をミスト状に噴出するミスト噴出手段と、
前記浴用空間に向けて加熱手段にて加熱された加熱空気を通風し且つその通風量が変更自在な通風手段と、
通風量変更指令に基づいて、前記通風量を変更するように前記通風手段の作動を制御する通風量変更制御を実行する制御手段とが設けられた浴用ミスト装置であって、
前記ミスト噴出手段のミスト噴出方向及び前記通風手段の通風方向のうちのいずれか一方又は両方が変更操作自在に構成され、
前記制御手段は、前記通風量変更制御に合わせて、前記ミスト噴出方向と前記通風方向との関係が前記通風量に応じて設定された関係となるように、前記ミスト噴出方向及び前記通風方向のうちのいずれか一方又は両方を変更する向き調節制御を実行するように構成され、且つ、
前記向き調節制御として、前記通風量が設定小通風量のときは、前記ミスト噴出方向と前記通風方向とが、前記浴用空間に向けてミスト状に噴出された湯水を到達させるためのミスト到達目標箇所に到達するまでに交差するように、前記通風量が前記設定小通風量よりも多い設定大通風量のときは、前記ミスト噴出方向と前記通風方向とが前記ミスト到達目標箇所に到達するまでに交差しないように、前記ミスト噴出方向及び前記通風方向のうちのいずれか一方又は両方を変更するように構成されている浴用ミスト装置。
【請求項２】
前記ミスト噴出方向又は前記通風方向を人為的な操作により変更設定する方向設定部が設けられ、
前記制御手段は、前記ミスト噴出方向又は前記通風方向を前記方向設定部にて設定される方向に定めた状態で、前記向き調節制御を実行するように構成されている請求項１記載の浴用ミスト装置。
【請求項３】
前記浴用空間の温度を検出する温度検出手段が設けられ、
前記制御手段は、前記温度検出手段の検出温度が設定温度になるように、前記通風量を前記設定小通風量にし且つ前記ミスト噴出方向と前記通風方向とを前記ミスト到達目標箇所に到達するまでに交差するようにする小通風量状態と、前記通風量を前記設定大通風量にし且つ前記ミスト噴出方向と前記通風方向とを前記ミスト到達目標箇所に到達するまでに交差しないようにする大通風量状態とに切り換えるように構成されている請求項１又は２記載の浴用ミスト装置。
【請求項４】
前記制御手段は、自動向き調節モードと通常モードとに変更自在なように構成されて、自動向き調節モードにおいては、前記向き調節制御を実行し、且つ、前記通常モードにおいては、向き変更指令に基づいて前記ミスト噴出方向及び前記通風方向のうちのいずれか一方又は両方を変更するように構成されている請求項１〜３のいずれか１項に記載の浴用ミスト装置。
【発明の詳細な説明】
【０００１】
【発明の属する技術分野】
本発明は、浴用空間に向けて湯水をミスト状に噴出するミスト噴出手段と、
前記浴用空間に向けて加熱手段にて加熱された加熱空気を通風し且つその通風量が変更自在な通風手段と、
通風量変更指令に基づいて、前記通風量を変更するように前記通風手段の作動を制御する通風量変更制御を実行する制御手段とが設けられた浴用ミスト装置に関する。
【０００２】
【従来の技術】
かかる浴用ミスト装置は、浴室などの浴用空間に向けて、通風手段により、加熱手段にて加熱された加熱空気を通風しながら、ミスト噴出手段により湯水をミスト状に噴出することにより、浴用空間内に居る入浴者が、ミスト状に噴出される湯水をサウナ的に浴びたりシャワー的に浴びたりして、サウナ効果が得られるように構成したものである。以下、ミスト状に噴出される湯水を、単にミストと称し、湯水をミスト状に噴出することを、ミストを噴出すると記載する場合がある。
従来は、ミスト噴出手段のミスト噴出方向及び通風手段の通風方向夫々を変更操作自在に構成し、指令手段からの向き変更指令に基づいてミスト噴出方向及び加熱空気の通風方向（以下、単に加熱空気通風方向と記載する場合がある）夫々を各別に変更するように、制御手段を構成していた。
つまり、従来では、加熱空気の通風量（以下、単に加熱空気通風量と記載する場合がある）、ミスト噴出方向及び加熱空気通風方向を夫々、独立して使用者が任意に変更指令できるようになっていた。
説明を加えると、ミスト噴出手段及び通風手段は、浴用空間の天井部や横側壁部の天井側近くの箇所等、浴用空間の上方側箇所に設置されることになり、ミスト噴出方向や加熱空気通風方向は、基本的には、下向きに調節されて、浴用空間内の入浴者存在箇所である下方側箇所（以下、浴用空間内下方側箇所と称する場合がある）に向けて、ミストが噴出され、加熱空気が通風されることになる。そして、外気温が低くて浴用空間の放熱量が多いときには、加熱空気通風量を多くし、外気温が高くて浴用空間の放熱量が少ないときには、加熱空気通風量を少なくする等、加熱空気通風量の調節によって、浴用空間の雰囲気温度が調節されることになる。
更に、上述の如くミスト噴出方向や加熱空気通風方向を下向きにして入浴するに当たり、例えば、浴用空間が浴槽を備えた浴室である場合において、洗い場に居る人が、直接加熱空気に当たったりミストを浴びたりするのを好むときには、ミスト噴出方向や加熱空気通風方向を直接洗い場に向くように調整し、直接加熱空気に当たったりミストを浴びたりするのを好まないときには、ミスト噴出方向や加熱空気通風方向を洗い場から逸らして浴槽側に向けるように調整する等、ミスト噴出方向や加熱空気通風方向が入浴者の好みに合わせて変更されることとなる。
【０００３】
【発明が解決しようとする課題】
ところで、かかる浴用ミスト装置では、浴室などの浴用空間内に居る入浴者にミストを浴びさせることができるようにする必要があることから、通常、ミスト噴出手段は、ミストを浴用空間内下方側箇所におけるミスト到達目標箇所に到達させるように勢い良く噴出するように構成して、入浴者は、ミスト到達目標箇所に居て、ミストを浴びることができるようにしてある。
これに対して、加熱空気通風量は、浴用空間の雰囲気温度を調節するために調節されることになる。
【０００４】
従来では、加熱空気通風量、ミスト噴出方向及び加熱空気通風方向が夫々、独立して変更できるようになっていることから、加熱空気通風量に対するミスト噴出方向及び加熱空気通風方向の調節を、浴用空間内下方側箇所の雰囲気温度を適切に維持して体感性良くミストを浴びることができるように行うことがし難く、加熱空気通風量の多少によって、浴用空間内下方側箇所の温度を適切に維持し難くなってミストを体感性良く浴びることができなくなるという問題があった。
【０００５】
説明を加えると、加熱空気通風量は、上述のように、浴用空間の放熱量が多いときは多くし、放熱量が少ないときは少なくするように調節され、ミスト噴出方向及び加熱空気通風方向は、加熱空気通風量とは無関係に、単純に、ミスト到達目標箇所に向かうように各別に調節されることとなる。
そして、ミストは、上述のように勢い良く噴出されるので、ミスト到達目標箇所に到達する。しかしながら、加熱空気はその通風量が多いときはミスト到達目標箇所に到達し易いものの、通風量が少ないときにはミスト到達目標箇所に到達し難く、加熱空気がミスト到達目標箇所到達し易いときには、浴用空間内下方側箇所の雰囲気温度を適切に維持し易いことから、浴用空間内下方側箇所に居る入浴者は体感性良くミストを浴び易いのであるが、加熱空気がミスト到達目標箇所到達し難いときには、浴用空間内下方側箇所に居る入浴者は寒さを感じるようになる等、浴用空間内下方側箇所の雰囲気温度を適切に維持し難くなり、体感性良くミストを浴び難くなる。
【０００６】
本発明は、かかる実情に鑑みてなされたものであり、その目的は、加熱空気の通風量の変更にかかわらずミストを体感性良く浴び易い浴用ミスト装置を提供することにある。
【０００７】
【課題を解決するための手段】
〔請求項１記載の発明〕
請求項１に記載の特徴構成は、前記ミスト噴出手段のミスト噴出方向及び前記通風手段の通風方向のうちのいずれか一方又は両方が変更操作自在に構成され、
前記制御手段は、前記通風量変更制御に合わせて、前記ミスト噴出方向と前記通風方向との関係が前記通風量に応じて設定された関係となるように、前記ミスト噴出方向及び前記通風方向のうちのいずれか一方又は両方を変更する向き調節制御を実行するように構成され、且つ、
前記向き調節制御として、前記通風量が設定小通風量のときは、前記ミスト噴出方向と前記通風方向とが、前記浴用空間に向けてミスト状に噴出された湯水を到達させるためのミスト到達目標箇所に到達するまでに交差するように、前記通風量が前記設定小通風量よりも多い設定大通風量のときは、前記ミスト噴出方向と前記通風方向とが前記ミスト到達目標箇所に到達するまでに交差しないように、前記ミスト噴出方向及び前記通風方向のうちのいずれか一方又は両方を変更するように構成されていることにある。
請求項１に記載の特徴構成によれば、制御手段は、通風量変更指令に応じた通風量になるように通風手段の作動を制御する通風量変更制御を実行するのに合わせて、ミスト噴出方向と加熱空気通風方向との関係が通風量変更制御にて調節する加熱空気通風量に応じた関係となるように、ミスト噴出方向及び加熱空気通風方向のうちのいずれか一方又は両方を変更する向き調節制御を実行する。
つまり、本発明の発明者らは、加熱空気の通風量にかかわらず、浴用空間内の入浴者存在箇所である浴用空間内下方側箇所の雰囲気温度を適切に維持して浴用空間内下方側箇所に居る入浴者に体感性良くミストを浴びさせることができるようにすべく、鋭意研究して、ミスト噴出方向と加熱空気通風方向との関係において、浴用空間内下方側箇所の雰囲気温度を適切に維持して浴用空間内下方側箇所に居る入浴者に体感性良くミストを浴びさせることができる関係を、加熱空気通風量に応じて見出した。
例えば、加熱空気通風量が、加熱空気単独ではミスト到達目標箇所に到達し難くなる程度に少ないときは、ミスト噴出方向と加熱空気通風方向とをミスト到達目標箇所に到達するまでに交差するようにすると、加熱空気を勢いの強いミストに乗せてミスト到達目標箇所に到達させるようにすることが可能となって、浴用空間内下方側箇所の雰囲気温度を適切に維持することが可能となるので、浴用空間内下方側箇所に居る入浴者は、加熱空気通風量が少ないにもかかわらず、寒さ感を感じること無く体感性良くミストを浴びることができる。
又、加熱空気の通風開始時等、浴用空間内全域の温度が低くて浴用空間の放熱量が特に多いときは、加熱空気通風量を特に多くすることになり、そのように加熱空気通風量が特に多いときには、ミスト噴出方向と加熱空気通風方向とを噴出先方で広がるようにすると、加熱空気の勢いがミストに助長されることに起因して加熱空気がミスト到達目標箇所に集中的に到達し過ぎるのを抑制することが可能となって、浴用空間内下方側箇所の雰囲気温度を適切に維持することが可能となるので、浴用空間内下方側箇所に居る入浴者は、加熱空気通風量が特に多いにもかかわらず熱過ぎ感を感じることが抑制されて、体感性良くミストを浴びることができる。
そして、浴用空間内下方側箇所の雰囲気温度を適切に維持してミストを体感性良く浴びることができるようにする上で加熱空気通風量に適合した関係として、上述のようにして見出したミスト噴出方向と加熱空気通風方向との関係を、加熱空気通風量に応じて予め設定しておく。
そして、ミスト噴出方向と加熱空気通風方向との関係が、浴用空間内下方側箇所の雰囲気温度を適切に維持してミストを体感性良く浴びることができるように加熱空気通風量に応じて設定した関係となるように、制御手段により、通風量変更制御に合わせて、ミスト噴出方向及び加熱空気通風方向のうちのいずれか一方又は両方を加熱空気通風量に応じて変更する向き調節制御を実行するようにすることにより、加熱空気通風量の変更にかかわらず浴用空間内下方側箇所の雰囲気温度を適切に維持してミストを体感性良く浴び易いようにすることができるのである。
従って、加熱空気の通風量の変更にかかわらずミストを体感性良く浴び易い浴用ミスト装置を提供することができるようになった。
又、制御手段は、向き調節制御として、加熱空気通風量が設定小通風量のときは、ミスト噴出方向と加熱空気通風方向とが、ミスト到達目標箇所に到達するまでに交差するように、加熱空気通風量が前記設定小通風量よりも多い設定大通風量のときは、ミスト噴出方向と加熱空気通風方向とがミスト到達目標箇所に到達するまでに交差しないように、ミスト噴出方向及び加熱空気通風方向のうちのいずれか一方又は両方を変更する。
つまり、浴用空間の放熱量が多いときは、加熱空気通風量を設定大風量にするように指令されることとなり、そして、そのように加熱空気通風量が設定大通風量のときは、ミスト噴出方向と加熱空気通風方向とをミスト到達目標箇所に到達するまでに交差しないようにすることにより、加熱空気をそれ自体の勢いによりミスト到達目標箇所に到達させることが可能となって、浴用空間内下方側箇所の雰囲気温度を適切に維持することが可能となるので、浴用空間内下方側箇所に居る入浴者は、体感性良くミストを浴びることができる。ちなみに、ミスト噴出手段と通風手段とが近付けて横並びに設けられるときには、ミスト噴出方向と加熱空気通風方向とを平行となるように定めるようにするのが好ましい。
一方、浴用空間の放熱量が少ないときは、加熱空気通風量を設定小風量にするように指令されることとなり、そして、そのように加熱空気通風量が設定小通風量のときは、ミスト噴出方向と加熱空気通風方向とをミスト到達目標箇所に到達するまでに交差するようにすることにより、加熱空気とミストとを互いに接触させて加熱空気にてミストを効率良く加熱させながら、加熱空気を勢いの強いミストに乗せてミスト到達目標箇所に到達させるようにすることが可能となって、浴用空間内下方側箇所の雰囲気温度を適切に維持することが可能となるので、浴用空間内下方側箇所に居る入浴者は、加熱空気通風量が少ないにもかかわらず寒さ感を感じること無く体感性良くミストを浴びることができる。
従って、加熱空気の通風量の変更にかかわらずミストを体感性良く浴び易いようにするに当たって、好ましい具体構成を提供することができる。
【０００８】
〔請求項２記載の発明〕
請求項２に記載の特徴構成は、前記ミスト噴出方向又は前記通風方向を人為的な操作により変更設定する方向設定部が設けられ、
前記制御手段は、前記ミスト噴出方向又は前記通風方向を前記方向設定部にて設定される方向に定めた状態で、前記向き調節制御を実行するように構成されていることにある。
請求項２に記載の特徴構成によれば、制御手段は、ミスト噴出方向又は加熱空気通風方向を方向設定部にて設定される方向に定めた状態で、ミスト噴出方向と加熱空気通風方向との関係が加熱空気通風量に応じた関係に維持されるように、ミスト噴出方向又は加熱空気通風方向を変更する。
つまり、入浴者の任意の方向にミスト噴出方向又は加熱空気通風方向を変更することができるので、入浴者は、加熱空気に直接当たったり、加熱空気に直接当たらないようにしたり、又は、ミストを直接浴びたり、ミストを直接浴びないようにしたりすることが可能である。しかも、そのようにミスト噴出方向又は加熱空気通風方向を変更しても、ミスト噴出方向と加熱空気通風方向との関係が、浴用空間内下方側箇所の雰囲気温度を適切に維持してミストを体感性良く浴びることができるように加熱空気通風量に応じて設定した関係に維持されるので、加熱空気通風量の変更にかかわらず浴用空間内下方側箇所の雰囲気温度を適切に維持してミストを体感性良く浴び易いようにすることができるのである。
従って、入浴者の任意の方向にミスト噴出方向又は加熱空気通風方向を変更することができるので、加熱空気の通風量の変更にかかわらずミストを体感性良く浴び易いようにしながら、更に、使い勝手を向上することができるようになった。
【００１０】
〔請求項３記載の発明〕
請求項３に記載の特徴構成は、前記浴用空間の温度を検出する温度検出手段が設けられ、
前記制御手段は、前記温度検出手段の検出温度が設定温度になるように、前記通風量を前記設定小通風量にし且つ前記ミスト噴出方向と前記通風方向とを前記ミスト到達目標箇所に到達するまでに交差するようにする小通風量状態と、前記通風量を前記設定大通風量にし且つ前記ミスト噴出方向と前記通風方向とを前記ミスト到達目標箇所に到達するまでに交差しないようにする大通風量状態とに切り換えるように構成されていることにある。
請求項３に記載の特徴構成によれば、制御手段は、温度検出手段の検出温度が設定温度になるように、加熱空気通風量を設定小通風量にし且つミスト噴出方向と加熱空気通風方向とをミスト到達目標箇所に到達するまでに交差するようにする小通風量状態と、加熱空気通風量を設定大通風量にし且つミスト噴出方向と加熱空気通風方向とをミスト到達目標箇所に到達するまでに交差しないようにする大通風量状態とに切り換える。
つまり、加熱空気通風量が設定小通風量のときは、ミスト噴出方向と加熱空気通風方向とをミスト到達目標箇所に到達するまでに交差するようにし、且つ、加熱空気通風量が設定大通風量のときは、ミスト噴出方向と加熱空気通風方向とをミスト到達目標箇所に到達するまでに交差しないようにする状態で、浴用空間の温度を設定温度に維持するように、加熱空気通風量が設定大通風量と設定小通風量とに切り換えられるので、浴用空間の温度が設定温度に維持されながら、加熱空気通風量の変更にかかわらず、浴用空間内下方側箇所の雰囲気温度はミストを体感性良く浴び易いように適切に維持されることとなる。
従って、浴用空間の温度が設定温度に維持されながら、浴用空間内下方側箇所の雰囲気温度は加熱空気通風量の変更にかかわらずミストを体感性良く浴び易いように適切に維持されるので、ミストを浴びるときの体感性の良さを一段と向上することができる。
【００１１】
〔請求項４記載の発明〕
請求項４に記載の特徴構成は、前記制御手段は、自動向き調節モードと通常モードとに変更自在なように構成されて、自動向き調節モードにおいては、前記向き調節制御を実行し、且つ、前記通常モードにおいては、向き変更指令に基づいて前記ミスト噴出方向及び前記通風方向のうちのいずれか一方又は両方を変更するように構成されていることにある。
請求項４に記載の特徴構成によれば、制御手段は、自動向き調節モードにおいては、通風量変更指令に応じた通風量になるように通風手段の作動を制御する通風量変更制御を実行するのに合わせて、ミスト噴出方向と加熱空気通風方向との関係が通風量変更制御にて調節する加熱空気通風量に応じた関係となるように、ミスト噴出方向及び加熱空気通風方向のうちのいずれか一方又は両方を変更し、通常モードにおいては、向き変更指令に基づいてミスト噴出方向及び加熱空気通風方向のうちのいずれか一方又は両方を変更する。
つまり、自動向き調節モードとすると、ミスト噴出方向と加熱空気通風方向との関係が加熱空気通風量に応じた関係となるように自動的に調節され、通常モードにすると、ミスト噴出方向及び加熱空気通風方向のうちのいずれか一方又は両方を前記の加熱空気通風量に応じた関係とは無関係に任意の方向に変更調節することができる。
従って、ミスト噴出方向と加熱空気通風方向との関係が加熱空気通風量に応じた関係となるように自動的に調節される形態だけでなく、ミスト噴出方向及び加熱空気通風方向のうちのいずれか一方又は両方を前記の加熱空気通風量に応じた関係とは無関係に任意の方向に変更調節することができる形態でも運転することが可能となるので、使い勝手を一段と向上することができるようになった。
【００１２】
【発明の実施の形態】
本発明にかかる浴用ミスト装置を浴室空調装置に組み込んだ例を図面に基づいて説明する。
この浴室空調装置は、図１に示すように、浴室１を浴用空間として設置され、循環ファン２や可動ルーバー１５（図２参照）を備えた装置本体部３、その装置本体部３に支持されるミスト噴出手段としてのミスト噴出部４（図２参照）、循環ファン２およびミスト噴出部４の作動状態を制御する制御手段としての制御部５（図４参照）などから構成されている。
【００１３】
前記装置本体部３は、図２〜図４に示すように、浴室１の天井裏に入り込ませた状態で、天井６の開口部６ａに吊り下げ支持具７により吊り下げ支持されて設置され、その設置状態において、ミスト噴出部４を天井６の表面側箇所に支持させ、浴室１内側において、ミスト噴出部４が支持された装置本体部３を覆うグリル板８が設けられ、装置本体部３とミスト噴出部４とが一体状に構成されている。
そして、装置本体部３は、浴室１内の浴槽Ａの上部に相当する箇所に設置され、浴室１内を暖房する機能、浴室１内を乾燥させる機能、浴室１内の空気を循環通風させる機能、浴室１を換気する機能などを備えて構成されている。
また、グリル板８には、吸気口９と吹き出し口１０とを並設し、ミスト噴出部４に配設された複数の噴出ノズル４ｂに対応する位置に、ミストを噴出するための複数のミスト噴出口１１が形成されている。
【００１４】
前記装置本体部３は、本体ケーシング３ａ内に、吸気口９を通して浴室１内の空気を吸引して吹き出し口１０を通して空気を吹き出すための循環通風路１２、その循環通風路１２に対して通風作用する循環ファン２、循環通風路１２を通風する空気に対して加熱作用する加熱手段としての熱交換器１３、その熱交換器１３に熱源機Ｇからの温水の供給を断続する熱動弁１４、吹き出し口１０を通して吹出される空気の吹き出し方向を変更自在な可動ルーバー１５、浴室１内の空気を吸引して排気ダクト１６を通して屋外に排気する換気ファン１７などを備えて構成されている。
【００１５】
すなわち、循環ファン２を作動させ、熱動弁１４を開弁させて熱交換器１３に熱媒としての温水を供給して、吸気口９を通して浴室１内から吸引した空気を熱交換器にて加熱して吹き出し口１０を通して浴室１内に通風するように構成されている。
また、可動ルーバー１５は、通風用電動モータＭにより浴室１内に吹き出す空気の方向を変更する電動式に構成されている。
【００１６】
前記循環ファン２は、水平軸心周りで回転して、空気の吸引と排気とをともに回転軸芯と直交する方向に沿って行うクロスフローファンにて構成され、回転軸芯方向のほぼ全幅にわたる広い範囲にわたって熱交換器１３を通して浴室１内の空気を吸引し、吹き出し口１０から熱交換器１３にて加熱された空気を浴室１に吹き出すように通風作用するように構成されている。
前記換気ファン１７は、縦軸芯周りで回転して、ファンケース１７ａの下方側から空気を吸引して、本体ケーシング３ａの横一側面に形成した排出口１８を通して排気ダクト１６に向けて空気を通風させるように構成されている。
【００１７】
前記循環ファン２は、循環ファン２を回転させるモータの駆動電圧を変更することによって、浴室１内に通風される空気の通風量が変更されるように構成され、浴室１内に通風される空気の通風量が、設定大通風量（強状態）と、その設定大通風量よりも少ない設定小通風量（弱状態）とに変更されるように構成されている。
【００１８】
つまり、循環ファン２、循環通風路１２、熱交換器１３、可動ルーバー１５などにより通風手段Ｔを構成し、その通風手段Ｔは、通風量及び通風方向夫々を変更操作自在なように構成してある。
【００１９】
前記ミスト噴出部４は、直管状の温水供給管４ａ、および、その温水供給管４ａの長手方向に間隔を隔てて配設された複数の噴出ノズル４ｂとを備えて構成され、温水供給管４ａを回転させて噴出ノズル４ｂによる噴出方向を変更するミスト用電動モータ１９が設けられている。
そして、ミスト噴出部４は、熱源機Ｇから供給される温水を噴出ノズル４ｂから浴室１に向けてミスト状に噴出するように構成されている。
【００２０】
前記温水供給管４ａは、図８に示すように、その両端部分において、本体ケーシング３ａにネジ止めされる支持具Ｌなどにて吊り下げ支持され、温水供給管４ａの下流側端部に取り付けられたミスト用電動モータ１９にて、温水供給管４ａが水平軸芯周りで回動自在に支持されている。
説明を加えると、温水供給管４ａの上流側端部は、Ｌ型接続管４ｃとＯリングシール接続され、本体ケーシング３ａにネジ止めされた吊り下げ部材Ｌ１とその吊り下げ部材Ｌ１にネジ止めされる受け止め部材Ｌ２とでＬ型接続管４ｃを挟み込む状態で支持するようにしている。
そして、温水供給管４ａの下流側端部は、本体ケーシング３ａにネジ止めされた吊り下げ部材Ｌ１とその吊り下げ部材Ｌ１にネジ止めされるミスト用電動モータ１９のモータカバー１９ａなどにて支持するようにしている。
【００２１】
図４に示すように、前記循環通風路１２における吸気口９付近に位置して、吸気口９に吸引される浴室１内の空気の温度を浴用空間としての浴室１内の温度として検出する温度検出手段としての浴室サーミスタ２０が設けられている。
【００２２】
図２及び図３に示すように、前記熱源機Ｇからミスト噴出部４への温水供給路２１には、上流側から、その温水供給路２１を通流する温水の温度を検出する温水サーミスタ２２、ミスト噴出部４への温水の供給を断続する温水供給断続弁２３が設けられている。
また、温水供給路２１における温水サーミスタ２２と温水供給断続弁２３との間には、温水供給路２１に残存していた湯水などを排出するための温水排出路２４が分岐され、その残存していた湯水を浴室１内や屋外に排出するようにしている。
【００２３】
前記装置本体部３と熱源機Ｇなどの動作は、マイクロコンピュータを利用した制御部５によって制御され、その制御部５に双方向に通信可能なリモコン操作部Ｒは、浴室Ａに隣接する脱衣室や台所などに設けられている。
そして、図４に示すように、リモコン操作部Ｒには、予備暖房運転モードおよび入浴中暖房運転モードを指令する暖房運転スイッチ２５、換気運転モードを指令する換気運転スイッチ２６、乾燥運転モードを指令する乾燥運転スイッチ２７、涼風運転モードを指令する涼風運転スイッチ２８、ミスト運転モードを指令するミスト運転スイッチ２９、強暖房ミスト同時運転モードを指令する強暖房ミスト同時運転スイッチ３０、弱暖房ミスト同時運転モードを指令する弱暖房ミスト同時運転スイッチ３１、強暖房ミスト同時運転モード及び弱暖房ミスト同時運転モードの夫々において自動向き調節モードを指令する自動向き調節スイッチ３２、温調暖房ミスト同時運転モードを指令する温調暖房ミスト同時運転スイッチ３３、各暖房ミスト同時運転における循環空気通風方向（加熱空気通風方向に相当する）を変更設定する温風通風方向設定スイッチ３４、各暖房ミスト同時運転におけるミスト噴出方向を変更設定するミスト噴出方向設定スイッチ３５などが設けられている。
【００２４】
前記制御部５の制御動作について説明する。
本発明においては、熱交換器１３により加熱された循環空気（加熱空気に相当する）を循環ファン２により吹き出し口１０から浴室１内に吹き出す暖房運転と、ミスト噴出部４により浴室１内に温水をミスト状に噴出するミスト運転とを同時に実行する暖房ミスト同時運転において、前記制御部５は、通風量変更指令に基づいて循環空気通風量を変更するように循環ファン２の作動を制御する通風量変更制御に合わせて、ミスト噴出方向と循環空気通風方向との関係が循環空気通風量に応じた関係となるように、ミスト噴出方向及び循環空気通風方向のうちのいずれか一方又は両方を変更する向き調節制御を実行するように構成されている。
【００２５】
そして、本実施形態においては、制御部５は、前記ミスト噴出方向及び前記循環空気通風方向のそれぞれをミスト噴出方向設定スイッチ３５及び温風通風方向設定スイッチ３４のそれぞれにて設定される方向に定めた状態で、前記向き調節制御を実行するように構成されている。
又、制御部５は、前記向き調節制御として、循環空気通風量が設定小通風量のときは、前記ミスト噴出方向と前記循環空気通風方向とが、前記ミスト到達目標箇所に到達するまでに交差するように設定した設定交差角度で交差するように、前記循環空気通風量が前記設定小通風量よりも多い設定大通風量のときは、前記ミスト噴出方向と前記循環空気通風方向とが前記ミスト到達目標箇所に到達するまでに交差しないように、前記ミスト噴出方向及び前記通風方向のうちのいずれか一方又は両方を変更するように構成されている。
更に、制御部５は、自動向き調節モードと通常モードとに変更自在なように構成されて、自動向き調節モードにおいては、前記向き調節制御を実行し、且つ、前記通常モードにおいては、ミスト噴出方向設定スイッチ３５及び温風通風方向設定スイッチ３４のそれぞれによる向き変更指令に基づいて前記ミスト噴出方向及び前記循環空気通風方向の夫々を変更するように構成されている。
【００２６】
前記制御部５の制御動作について詳細に説明する。
前記制御部５は、リモコン操作部Ｒの指令に基づいて、暖房運転スイッチ２５が１回押されて予備暖房運転モードとなると予備暖房運転を実行し、暖房運転スイッチ２５が２回押されて入浴中暖房運転モードとなると入浴中暖房運転を実行し、換気運転スイッチ２６がＯＮ操作されると換気運転を実行し、乾燥運転スイッチ２７がＯＮ操作されると乾燥運転を実行し、涼風運転スイッチ２８がＯＮ操作されると涼風運転を実行するように構成されている。
又、ミスト運転スイッチ２９がＯＮ操作されるとミスト運転を実行するように構成されている。
【００２７】
又、前記制御部５は、リモコン操作部Ｒの指令に基づいて、強暖房ミスト同時運転スイッチ３０及び自動向き調節スイッチ３２がＯＮ操作されると、自動向き調節モードでの強暖房ミスト同時運転を実行し、強暖房ミスト同時運転スイッチ３０のみがＯＮ操作されると、通常モードでの強暖房ミスト同時運転を実行し、弱暖房ミスト同時運転スイッチ３１及び自動向き調節スイッチ３２がＯＮ操作されると、自動向き調節モードでの弱暖房ミスト同時運転を実行し、弱暖房ミスト同時運転スイッチ３１のみがＯＮ操作されると、通常モードでの弱暖房ミスト運転を実行し、温調暖房ミスト同時運転スイッチ３３がオン操作されると温調暖房ミスト同時運転を実行するように構成されている。
【００２８】
又、前記制御部５は、各運転において、可動ルーバー１５からの空気の吹き出し方向、即ち、循環空気通風方向を調節する場合は、通風用電動モータＭに備えられているロータリエンコーダ（図示省略）の検出情報に基づいて、通風用電動モータＭの作動を制御することにより行い、噴出ノズル４ｂによるミスト噴出方向を調節する場合は、ミスト用電動モータ１９に備えられているロータリエンコーダ（図示省略）の検出情報に基づいて、ミスト用電動モータ１９の作動を制御することにより行うように構成されている。
【００２９】
前記予備暖房運転は、図４に示すように、換気ファン１７を停止させかつ循環ファン２を作動させるとともに、浴室サーミスタ２０の検出温度に基づいて、浴室１内の温度が予備暖房用の設定温度に維持されるように、熱動弁１４の開閉を制御して熱交換器１３に熱媒としての温水を循環供給し、この熱交換器１３により加熱された循環空気を吹き出し口１０から浴室１内に吹き出すようにしている。
そして、浴室１内に通風される空気の通風量が設定大通風量となるように循環ファン２を強状態にて作動させるとともに、通風用電動モータＭにて可動ルーバー１５を揺動させるようにしている。
【００３０】
前記入浴中暖房運転は、上述の予備暖房運転と同様に、図４に示すように、換気ファン１７を停止させかつ循環ファン２を作動させるとともに、浴室サーミスタ２０の検出温度に基づいて、浴室１内の温度が予備暖房用の設定温度に維持されるように、熱動弁１４の開閉を制御して熱交換器１３に熱媒としての温水を循環供給し、この熱交換器１３により加熱された循環空気を吹き出し口１０から浴室１内に吹き出すようにしている。
そして、浴室１内に通風される空気の通風量が設定小通風量となるように循環ファン２を弱状態にて作動させるとともに、通風用電動モータＭにて可動ルーバー１５を揺動させるようにしている。
【００３１】
前記換気運転は、図５に示すように、循環ファン２の作動を停止しかつ熱動弁１４を閉状態に維持した状態で、換気ファン１７を作動させ、可動ルーバー１５が閉状態となるように通風用電動モータＭにて可動ルーバー１５の作動状態を調整して、浴室１内から吸引した空気を排気するようにしている。
【００３２】
前記乾燥運転は、図４に示すように、循環ファン２を作動させ、かつ、浴室サーミスタ２０の検出温度に基づいて、浴室１内の温度が乾燥用の設定温度範囲に維持されるように、熱動弁１４の開閉を制御して熱交換器１３に熱媒としての温水を循環供給するとともに、換気ファン１７を作動させて、浴室１内から吸引した空気の一部を排気ダクト１６を通して屋外に排出させながら、熱交換器１３により加熱された循環空気を吹き出し口１０から浴室１内に吹き出すようにしている。
そして、浴室１内への循環空気空気の通風方向が乾燥用通風方向としてほぼ真下の方向となるように、通風用電動モータＭにて可動ルーバー１５の向きを調整するようにしている。
【００３３】
すなわち、循環通風路１２を通して加熱された空気が、浴槽Ａ上部に係止具にて吊り下げ支持されている衣類などの乾燥対象物に向けた真下の方向に吹出されることになる。
そして、乾燥対象物から蒸発する水分を含んだ湿った空気を吸気口９から吸引し、その一部を換気ファン１７により屋外に排出しながら、熱交換器１３にて加熱して再度浴室１に吹き出すようにしている。
このようにして、浴室１内の空気の一部を屋外に排出するとともに、浴室１内の空気を循環しながら加熱して、乾燥対象Ｄを乾燥するようにしている。
【００３４】
前記涼風運転は、図４に示すように、熱動弁１４を閉状態に維持した状態で循環ファン２を作動させるとともに、換気ファン１７を作動させて、浴室１内から吸引した空気の一部を排気ダクト１６を通して屋外に排出させながら、浴室１内から吸引した空気を加熱することなく循環通風路１２を通して浴室１内に吹き出すようにしている。
そして、浴室１内への空気通風方向が、涼風用通風方向（例えば、洗い場Ｂに向く方向）になるように、通風用電動モータＭにて可動ルーバー１５の向きを調整するようにしている。
【００３５】
前記ミスト運転は、図６に示すように、温水供給断続弁２３を開弁して、熱源機Ｇからミスト噴出部４に供給される温水をミストとして噴出ノズル４ｂから噴出させると共に、ミスト噴出方向がミスト噴出方向設定スイッチ３５にて設定された方向となるようにミスト用電動モータ１９を作動させる。ちなみに、ミスト噴出方向は、ミスト用電動モータ１９を作動させて、温水供給管４ａを水平軸芯周りで回転させて、噴出ノズル４ｂの噴出方向を変更することにより変更されるように構成されている。
【００３６】
前記自動向き調節モードでの強暖房ミスト同時運転は、図７の（イ）に示すように、換気ファン１７を停止させかつ循環ファン２をその通風量が設定大通風量となる強状態で作動させて、熱交換器１３により加熱された循環空気を吹き出し口１０から浴室１内に吹き出すと共に、温水供給断続弁２３を開弁して、熱源機Ｇからミスト噴出部４に供給される温水をミストとして噴出ノズル４ｂから噴出させ、並びに、前記ミスト噴出方向と前記循環空気通風方向とが平行となるように、通風用電動モータＭ及びミスト用電動モータ１９のうちのいずれか一方又は両方の作動を制御し、並びに、浴室サーミスタ２０の検出温度がミスト暖房用の設定温度に維持されるように、熱動弁１４の開閉を制御する。
【００３７】
ちなみに、前記自動向き調節モードでの強暖房ミスト同時運転の開始時は、その開始時の前記循環空気通風方向に対して、前記ミスト噴出方向が平行になるように、ミスト用電動モータ１９の作動を制御する。
又、前記自動向き調節モードでの強暖房ミスト同時運転中に、温風通風方向設定スイッチ３４にて循環空気通風方向の変更が指令されると、指令された循環空気通風方向となるように通風用電動モータＭの作動を制御すると共に、その循環空気通風方向の変更に伴って、前記ミスト噴出方向と前記循環空気通風方向とが平行に維持されるように、ミスト用電動モータ１９の作動を制御して前記ミスト噴出方向を調節する。
又、前記自動向き調節モードでの強暖房ミスト同時運転中に、ミスト噴出方向設定スイッチ３５にてミスト噴出方向の変更が指令されると、指令されたミスト噴出方向となるようにミスト用電動モータ１９の作動を制御すると共に、そのミスト噴出方向の変更に伴って、前記ミスト噴出方向と前記循環空気通風方向とが平行に維持されるように、通風用電動モータＭの作動を制御して前記循環空気吹通風方向を調節する。
【００３８】
つまり、前記自動向き調節モードでの強暖房ミスト同時運転においては、図９の（イ）に示すように、ミストと熱交換器１３により加熱された循環空気とは互いに平行に、ミスト噴出方向設定スイッチ３５又は温風通風方向設定スイッチ３４にて設定された方向、例えば、洗い場Ｂ等に設定されるミスト到達目標箇所に向けて噴出されることとなる。
従って、循環空気をそれ自体の勢いによりミスト到達目標箇所に到達させることが可能となって、浴用空間内下方側箇所である洗い場Ｂ等の雰囲気温度を適切に維持することが可能となるので、浴用空間内下方側箇所に居る入浴者は、体感性良くミストを浴びることができる。
【００３９】
前記通常モードでの強暖房ミスト同時運転は、換気ファン１７を停止させかつ循環ファン２をその通風量が設定大通風量となる強状態で作動させて、熱交換器１３により加熱された循環空気を吹き出し口１０から浴室１内に吹き出すと共に、温水供給断続弁２３を開弁して、熱源機Ｇからミスト噴出部４に供給される温水をミストとして噴出ノズル４ｂから噴出させ、並びに、浴室サーミスタ２０の検出温度がミスト暖房用の設定温度に維持されるように、熱動弁１４の開閉を制御する。
【００４０】
又、前記通常モードでの強暖房ミスト同時運転中に、温風通風方向設定スイッチ３４にて循環空気通風方向の変更が指令されると、指令された循環空気通風方向となるように通風用電動モータＭの作動を制御し、ミスト噴出方向設定スイッチ３５にてミスト噴出方向の変更が指令されると、指令されたミスト噴出方向となるようにミスト用電動モータ１９の作動を制御する。
【００４１】
前記自動向き調節モードでの弱暖房ミスト同時運転は、図７の（ロ）に示すように、換気ファン１７を停止させかつ循環ファン２をその通風量が設定小通風量となる弱状態で作動させて、熱交換器１３により加熱された循環空気を吹き出し口１０から浴室１内に吹き出すと共に、温水供給断続弁２３を開弁して、熱源機Ｇからミスト噴出部４に供給される温水をミストとして噴出ノズル４ｂから噴出させ、並びに、前記ミスト噴出方向と前記循環空気通風方向とが前記設定交差角度にて交差するように、通風用電動モータＭ及びミスト用電動モータ１９のうちのいずれか一方又は両方の作動を制御し、並びに、浴室サーミスタ２０の検出温度がミスト暖房用の設定温度に維持されるように、熱動弁１４の開閉を制御する。
【００４２】
ちなみに、前記自動向き調節モードでの弱暖房ミスト同時運転の開始時は、その開始時の前記循環空気通風方向に対して、前記ミスト噴出方向が前記設定交差角度にて交差するように、ミスト用電動モータ１９の作動を制御する。
又、前記自動向き調節モードでの弱暖房ミスト同時運転中に、温風通風方向設定スイッチ３４にて循環空気通風方向の変更が指令されると、指令された循環空気通風方向となるように通風用電動モータＭの作動を制御すると共に、その循環空気通風方向の変更に伴って、前記ミスト噴出方向と前記循環空気通風方向とが前記設定交差角度にて交差する状態が維持されるように、ミスト用電動モータ１９の作動を制御して前記ミスト噴出方向を調節する。
又、前記自動向き調節モードでの弱暖房ミスト同時運転中に、ミスト噴出方向設定スイッチ３５にてミスト噴出方向の変更が指令されると、指令されたミスト噴出方向となるようにミスト用電動モータ１９の作動を制御すると共に、そのミスト噴出方向の変更に伴って、前記ミスト噴出方向と前記循環空気通風方向とが前記設定交差角度にて交差する状態が維持されるように、通風用電動モータＭの作動を制御して前記循環空気通風方向を調節する。
【００４３】
つまり、前記自動向き調節モードでの弱暖房ミスト同時運転においては、図９の（ロ）に示すように、ミストと熱交換器１３により加熱された循環空気とはミスト到達目標箇所に到達するまでに交差するように、ミスト噴出方向設定スイッチ３５又は温風通風方向設定スイッチ３４にて設定された方向、例えば、洗い場Ｂ等に設定されるミスト到達目標箇所に向けて噴出されることとなる。
従って、循環空気とミストとを互いに接触させて循環空気にてミストを効率良く加熱させながら、循環空気を勢いの強いミストに乗せてミスト到達目標箇所に到達させるようにすることが可能となって、浴用空間内下方側箇所である洗い場Ｂ等の雰囲気温度を適切に維持することが可能となるので、浴用空間内下方側箇所に居る入浴者は、循環空気通風量が少ないにもかかわらず、寒さ感を感じること無く体感性良くミストを浴びることができる。
【００４４】
前記通常モードでの弱暖房ミスト運転は、換気ファン１７を停止させかつ循環ファン２をその通風量が設定小通風量となる弱状態で作動させて、熱交換器１３により加熱された循環空気を吹き出し口１０から浴室１内に吹き出すと共に、温水供給断続弁２３を開弁して、熱源機Ｇからミスト噴出部４に供給される温水をミストとして噴出ノズル４ｂから噴出させ、並びに、浴室サーミスタ２０の検出温度がミスト暖房用の設定温度に維持されるように、熱動弁１４の開閉を制御する。
【００４５】
又、前記通常モードでの弱暖房ミスト同時運転中に、温風通風方向設定スイッチ３４にて循環空気通風方向の変更が指令されると、指令された循環空気通風方向となるように通風用電動モータＭの作動を制御し、ミスト噴出方向設定スイッチ３５にてミスト噴出方向の変更が指令されると、指令されたミスト噴出方向となるようにミスト用電動モータ１９の作動を制御する。
【００４６】
つまり、強暖房ミスト同時運転スイッチ３０及び弱暖房ミスト同時運転スイッチ３１により、通風手段Ｔによる通風量を変更する通風量変更指令が指令されるように構成されている。
【００４７】
前記温調暖房ミスト同時運転は、熱動弁１４を開弁状態に維持する状態で、浴室サーミスタ２０の検出温度がミスト暖房用の設定温度に維持されるように、前記自動向き調節モードの強暖房ミスト同時運転にて運転する状態（大通風量状態に相当する）と、前記自動向き調節モードの弱暖房ミスト同時運転にて運転する状態（小通風量状態に相当する）とに切り換える。
【００４８】
そして、制御部５は、上記のミスト運転、自動向き調節モードでの強暖房ミスト同時運転、通常モードでの強暖房ミスト同時運転、自動向き調節モードでの弱暖房ミスト同時運転、通常モードでの弱暖房ミスト運転及び温調暖房ミスト同時運転のそれぞれにおいて、温水サーミスタ２２による検出温度が噴出許容下限温度から噴出許容上限温度までの噴出許容設定範囲内であるときには、ミスト噴出部４への温水の供給を許容するように、温水供給断続弁２３を開弁させ、温水サーミスタ２２による検出温度が噴出許容設定範囲外であるときには、ミスト噴出部４への温水の供給を阻止するように、温水供給断続弁２３を閉弁させるように構成されている。
説明を加えると、温水サーミスタ２２による検出温度が噴出許容下限温度よりも低いときには、温水供給断続弁２３を閉弁し、温水排出路２４を通して浴室１内や屋外に排出させ、温水サーミスタ２２による検出温度が噴出許容上限温度よりも高いときには、温水供給断続弁２３を閉弁し、リモコン操作部Ｒの表示部にエラー表示して、ミスト運転をエラー停止させるようにして、温水サーミスタ２２による検出温度が噴出許容設定範囲内のときだけ、ミストを噴出するようにしている。
【００４９】
このようにして、ミスト運転初期など温水供給路２１に残存していた冷めた残存湯水や、何らかの要因で異常に高温となった温水など、ミストとして噴出すると入浴者にかえって不快感を与える可能性のあるときには、ミストとして入浴者に噴出されることを阻止するようにしている。
【００５０】
前記制御部５の動作について、図１０のフローチャートに基づいて説明する。前記リモコン操作部Ｒの指令に基づいて、予備暖房運転、入浴中暖房運転、換気運転、涼風運転、乾燥運転、ミスト運転、自動向き調節モードでの強暖房ミスト同時運転、通常モードでの強暖房ミスト同時運転、自動向き調節モードでの弱暖房ミスト同時運転、通常モードでの弱暖房ミスト運転、温調暖房ミスト同時運転の夫々の運転を開始する。
説明を加えると、リモコン操作部Ｒのスイッチの状態を読み込み、そのスイッチの状態に対応した運転を開始するようにしている。
【００５１】
前記暖房運転スイッチ２５が１回押されて予備暖房運転モード（以下、予備暖房運転スイッチのＯＮ状態と呼称する）が指令されると、予備暖房運転を開始し（ステップ１，２）、予備暖房運転スイッチのＯＮ状態が指令されてから設定時間経過するか、または、暖房運転スイッチ２５がＯＦＦ操作されると、予備暖房運転を終了する。
【００５２】
また、暖房運転スイッチ２５が２回押されて入浴中暖房運転モード（以下、入浴中暖房運転スイッチのＯＮ状態と呼称する）が指令されると、入浴中暖房運転を開始する（ステップ３，４）。
そして、入浴中暖房運転では、入浴中暖房運転スイッチのＯＮ状態が指令されてから設定時間が経過するか、または、暖房運転スイッチ２５がＯＦＦ操作されると、入浴中暖房運転を終了する。
【００５３】
前記換気運転スイッチ２６がＯＮ操作されると、換気運転を開始し（ステップ５，６）、換気運転スイッチ２６がＯＮ操作されてから設定時間経過するか、または、換気運転スイッチ２６がＯＦＦ操作されると、換気運転を終了する。
前記涼風運転スイッチ２８がＯＮ操作されると、涼風運転を開始する（ステップ７，８）。
そして、涼風運転では、涼風運転スイッチ２８がＯＮ操作されてから設定時間が経過するか、または、涼風運転スイッチ２８がＯＦＦ操作されると、涼風運転を終了する。
【００５４】
前記乾燥運転スイッチ２７がＯＮ操作されると、乾燥運転を開始し（ステップ９，１０）、ミスト運転スイッチ２９がＯＮ操作されると、ミスト運転を開始する（ステップ１１，１２）。
乾燥運転およびミスト運転の夫々の運転の終了については、各スイッチがＯＮ操作されてから設定時間が経過するか、または、各スイッチがＯＦＦ操作されると、夫々の運転を終了する。
【００５５】
強暖房ミスト同時運転スイッチ３０及び自動向き調節スイッチ３２がＯＮ操作されると、自動向き調節モードでの強暖房ミスト同時運転を開始し、強暖房ミスト同時運転スイッチ３０のみがＯＮ操作されると、通常モードでの強暖房ミスト同時運転を開始する（ステップ１３，１４，１５，１６）
自動向き調節モードでの強暖房ミスト同時運転及び通常モードでの強暖房ミスト同時運転の夫々では、強暖房ミスト同時運転スイッチ３０がＯＮ操作されてから設定時間が経過するか、または、強暖房ミスト同時運転スイッチ３０がＯＦＦ操作されると、夫々の運転を終了する。
【００５６】
弱暖房ミスト同時運転スイッチ３１及び自動向き調節スイッチ３２がＯＮ操作されると、自動向き調節モードでの弱暖房ミスト同時運転を開始し、弱暖房ミスト同時運転スイッチ３１のみがＯＮ操作されると、通常モードでの弱暖房ミスト運転を開始する（ステップ１７，１８，１９，２０）。
自動向き調節モードでの弱暖房ミスト同時運転及び通常モードでの弱暖房ミスト同時運転の夫々では、弱暖房ミスト同時運転スイッチ３１がＯＮ操作されてから設定時間が経過するか、または、弱暖房ミスト同時運転スイッチ３１がＯＦＦ操作されると、夫々の運転を終了する。
【００５７】
温調暖房ミスト同時運転スイッチ３３がオン操作されると、温調暖房ミスト同時運転を開始する。（ステップ２１，２２）。
温調暖房ミスト同時運転は、温調暖房ミスト同時運転スイッチ３３がオン操作されてから設定時間が経過するか、または、温調暖房ミスト同時運転スイッチ３３がＯＦＦ操作されると運転を終了する。
【００５８】
〔別実施形態〕
（１）  自動向き調節モードでの強暖房ミスト同時運転において、循環空気通風方向を設定方向に一義的に調節するようにして、そのように設定方向に一義的に調節される循環空気通風方向に対して、平行になるようにミスト噴出方向を調節するように構成しても良い。
又、自動向き調節モードでの弱暖房ミスト同時運転においては、循環空気通風方向を設定方向に一義的に調節するようにして、そのように設定方向に一義的に調節される循環空気通風方向に対して、ミスト到達目標箇所に到達するまでに交差するように設定した前記設定交差角度（以下、到達前交差用の設定交差角度と称する場合がある）にて交差するように、ミスト噴出方向を調節するように構成しても良い。
【００５９】
（２）  上記の実施形態では、ミスト噴出部４のミスト噴出方向及び通風手段Ｔの循環空気通風方向の両方を変更操作自在なように構成する場合について例示したが、ミスト噴出部４のミスト噴出方向及び通風手段Ｔの循環空気通風方向のいずれか一方のみを変更操作自在なように構成しても良い。
この場合、ミスト噴出部４のミスト噴出方向を固定して、通風手段Ｔの循環空気通風方向を変更操作自在に構成する場合は、前記向き調節制御においては、前記通風量変更制御に合わせて、前記ミスト噴出方向と前記循環空気通風方向との関係が前記循環空気通風量に応じた関係となるように、前記循環空気通風方向を変更することになる。
又、通風手段Ｔの循環空気通風方向を固定して、ミスト噴出部４のミスト噴出方向を変更操作自在に構成する場合は、前記向き調節制御においては、前記通風量変更制御に合わせて、前記ミスト噴出方向と前記循環空気通風方向との関係が前記循環空気通風量に応じた関係となるように、前記ミスト噴出方向を変更することになる。
【００６０】
（３）  自動向き調節モードでの強暖房ミスト同時運転においては、前記循環空気通風方向とミスト噴出方向とを平行に維持する状態で、通風用電動モータＭにて可動ルーバー１５を揺動させ、且つ、ミスト用電動モータ１９にて噴出ノズル４ｂを揺動させるように構成しても良い。
又、自動向き調節モードでの弱暖房ミスト同時運転においては、前記循環空気通風方向とミスト噴出方向とを到達前交差用の設定交差角度にて交差させる状態を維持する状態で、通風用電動モータＭにて可動ルーバー１５を揺動させ、且つ、ミスト用電動モータ１９にて噴出ノズル４ｂを揺動させるように構成しても良い。
【００６１】
（４）  上記の実施形態においては、向き調節制御として、前記循環空気通風量が前記設定大通風量のときは、前記ミスト噴出方向と前記循環空気通風方向とが平行となる状態とし、前記循環空気通風量が前記設定小通風量のときは、前記ミスト噴出方向と前記循環空気通風方向とが到達前交差用の設定交差角度にて交差する状態とするように、二つの状態に切り換えるように構成する場合について例示したが、更に、前記循環空気通風量が前記設定大通風量と前記設定小通風量との間の設定中通風量のときは、前記ミスト噴出方向と前記循環通風方向とが前記設定大通風量に対応する到達前交差用の設定交差角度よりも小さい到達前交差用の設定交差角度にて交差する状態を加えても良い。
又、前記循環空気通風量が前記設定大通風量と前記設定小通風量との間のときは、循環空気通風量が多くなるほど、到達前交差用の設定交差角度が小さくなる状態で、複数の状態を追加しても良い。
又、前記循環空気通風量が前記設定大通風量よりも多いときは、前記ミスト噴出方向と前記循環通風方向とが噴出先方で広がる状態を加えても良い。
【００６２】
（５）  循環空気通風量が前記設定大通風量のときは、前記ミスト噴出方向と前記循環空気通風方向とが前記ミスト到達目標箇所に到達するまでに交差しないようにするための具体例として、上記の実施形態においては、前記ミスト噴出方向と前記循環空気通風方向とが平行となるようにする場合について例示したが、これに代えて、前記ミスト噴出方向と前記循環空気通風方向とが前記ミスト到達目標箇所よりも先方で交差するようにしても良い。
【００６３】
（６）  上記の実施形態においては、通常モードでの強暖房ミスト同時運転及び通常モードでの弱暖房ミスト同時運転それぞれにおいて、前記ミスト噴出方向及び前記循環空気通風方向の両方を変更操作自在に構成する場合について例示したが、前記ミスト噴出方向及び前記循環空気通風方向の内のいずれか一方のみを変更操作自在なように構成しても良い。
【００６４】
（７）  自動向き調節スイッチ３２を省略して、強暖房ミスト同時運転スイッチ３０がＯＮ操作されると、自動向き調節モードでの強暖房ミスト同時運転を実行し、弱暖房ミスト同時運転スイッチ３１がＯＮ操作されると、自動向き調節モードでの弱暖房ミスト同時運転を実行するように構成して、通常モードでの強暖房ミスト同時運転及び通常モードでの弱暖房ミスト同時運転を省略しても良い。
【００６５】
（８）  温度検出手段の設置位置としては、上記の実施形態において例示した位置、即ち、前記循環通風路１２における吸気口９付近の位置に限定されるものではなく、例えば、浴室１内に設置されるリモコン操作部Ｒでも良い。
【００６６】
（９）上記実施形態では、浴室１の天井６に設置される浴室空調装置に浴用ミスト装置を組み込んだ例を示したが、浴室１の壁部の表面側に設置される壁掛け設置式の浴室空調装置に浴用ミスト装置を組み込んで実施することも可能であり、浴用ミスト装置を組み込んだ浴室空調装置の設置箇所は適宜変更が可能である。
【００６７】
（１０）上記実施形態では、通風手段Ｔを備えた装置本体部３にミスト噴出部４を支持させ、ミスト噴出部４が支持された装置本体部３をグリル板８にて覆うことによって、ミスト噴出部４と通風手段Ｔとを並設した状態で一体状に構成するようにしているが、ミスト噴出部４を浴室１の壁に懸けて支持される又は天井に吊り下げ支持されるなどして、ミスト噴出部４と通風手段Ｔとを別体状に構成して実施することも可能である。
【００６８】
（１１）  上記実施形態では、浴用空間を浴室１とした例を示したが、浴室１とは別に設けられたサウナ室などを浴用空間として実施することも可能である。
【図面の簡単な説明】
【図１】浴室空調装置を設置した浴室の斜視図
【図２】浴室空調装置の分解斜視図
【図３】浴室空調装置の横断平面図
【図４】浴室空調装置の縦断側面図
【図５】浴室空調装置の縦断側面図
【図６】浴室空調装置の縦断側面図
【図７】浴室空調装置の縦断側面図
【図８】浴室空調装置のミスト噴出部を示す斜視図
【図９】浴室内への循環空気の通風方向及びミストの噴出方向を示す概略側面図
【図１０】制御動作を示すフローチャート
【符号の説明】
１              浴用空間
４              ミスト噴出手段
５              制御手段
１３            加熱手段
２０            温度検出手段
３４，３５      方向設定部
Ｔ              通風手段
【図１】
0004145071.tif 000002
【図２】
0004145071.tif 000003
【図３】
0004145071.tif 000004
【図４】
0004145071.tif 000005
【図５】
0004145071.tif 000006
【図６】
0004145071.tif 000007
【図７】
0004145071.tif 000008
【図８】
0004145071.tif 000009
【図９】
0004145071.tif 000010
【図１０】
0004145071.tif 000011